(57)【要約】【課題】  セキュリティーシステムによって管理される対象を使用するユーザ自身が、セキュリティーシステムの設定を自由に変更することができ、また、侵入者等にとって容易にはセキュリティーシステムの存在がさとられにくい、安価で簡易なセキュリティーシステムを提供する。【解決手段】  警戒対象と警戒対象を管理する管理システムを備える。警戒対象は、起動信号を発生する複数の起動用スイッチと、これらとの間で予め定められた関係に従って、複数の起動用スイッチから発生された起動信号を受け取ったときに所定のシーケンス信号を構成し得る信号部分を発生する複数の部分信号発生部を有する。管理システムは、部分信号発生部から発生された信号部分を所定のシーケンス情報と比較し、それらが一致しない場合に警報を発する。ここで、複数の起動用スイッチと複数の部分信号発生部との間の関係は、警戒対象において、警戒対象のユーザによって自由に変更され得る。【選択図】          図１
2005339380.tif 000002
【特許請求の範囲】
【請求項１】
警戒対象と警戒対象を管理する管理システムとを備えたセキュリティーシステムにおいて、
前記警戒対象は、起動信号を発生する複数の起動用スイッチと、これら複数の起動用スイッチとの間で予め定められた関係に従って、前記複数の起動用スイッチから発生された起動信号を受け取ったときに所定のシーケンス信号を構成し得る信号部分を発生する複数の部分信号発生部と、を有し、
前記管理システムは、前記警戒対象の複数の部分信号発生部から発生された信号部分を所定のシーケンス情報と比較し、それらが一致しない場合に警報を発するものであり、
前記複数の起動用スイッチと前記複数の部分信号発生部との間の関係は、前記警戒対象において、前記警戒対象のユーザによって自由に変更され得ることを特徴とするセキュリティーシステム。
【請求項２】
前記複数の部分信号発生部はそれぞれ、前記所定のシーケンス信号を構成し得る信号部分のいずれかを、前記複数の起動用スイッチから発生された各起動信号を受け取ったときに順次に発生させ、前記管理システムは、前記順次に発生された前記所定のシーケンス信号を構成し得る信号部分を、前記管理システムに予め記憶されたシーケンス情報と順次に比較し、それらが一致しないと判断した時点で警報を発する請求項１記載のセキュリティーシステム。
【請求項３】
前記複数の部分信号発生部はそれぞれ、前記所定のシーケンス信号を構成し得る信号部分のいずれかを、前記複数の起動用スイッチから発生された各起動信号を受け取ったときに順次に発生させ、前記管理システムは、前記順次に発生された前記所定のシーケンス信号を構成し得る信号部分を、前記管理システムに予め記憶されたシーケンス情報と一度に比較し、それらが一致しない場合に警報を発する請求項１記載のセキュリティーシステム。
【請求項４】
前記管理システムに予め記憶された前記シーケンス情報は、前記警戒対象のユーザに予め通知することなしには変更されない請求項１乃至３のいずれかに記載のセキュリティーシステム。
【請求項５】
前記警戒対象の複数の部分信号発生部から順次に発生された部分信号と前記管理システムに予め記憶されたシーケンス情報が完全に一致しない場合に警告を発する請求項１乃至４のいずれかに記載のセキュリティーシステム。
【請求項６】
前記警戒対象の複数の部分信号発生部から順次に発生された部分信号と前記管理システムに予め記憶されたシーケンス情報が一部について一致しない場合に警告を発する請求項１乃至４のいずれかに記載のセキュリティーシステム。
【請求項７】
前記複数の起動用スイッチは一箇所にまとめて設けられている請求項１乃至６のいずれかに記載のセキュリティーシステム。
【請求項８】
前記複数の起動用スイッチは互いに別々の場所に離して設けられている請求項１乃至６のいずれかに記載のセキュリティーシステム。
【請求項９】
前記管理システムに予め記憶されているシーケンス情報と前記警戒対象によって発生された前記シーケンス信号とが所定時間内に一致しなかったときに警報を発する請求項１乃至８のいずれかに記載のセキュリティーシステム。
【請求項１０】
前記管理システムに予め記憶されているシーケンス情報と前記警戒対象によって発生された前記シーケンス信号とが前記複数のスイッチの所定回数の操作によっても一致しなかったときに警報を発する請求項１乃至９のいずれかに記載のセキュリティーシステム。
【発明の詳細な説明】
【技術分野】
【０００１】
本発明は、セキュリティーシステム、更に言えば、シーケンス信号（情報）を利用したセキュリティーシステムに関する。
【背景技術】
【０００２】
近年、犯罪件数は世界的にみても増加の一途をたどっており、空き巣や、不法侵入者、ハッカー等から住居や車、パソコン等を守るため、より安価でより実効性の高いセキュリティーシステムが全世界で強く所望されている。しかしながら、従来のセキュリティーシステムは、一般に、比較的複雑な構造を有しているものが多く、また、比較的複雑な構造であるにもかかわらず、侵入者等の目に触れればすぐにセキュリティーシステムの存在がさとられてしまうことが多いため、セキュリティーシステムが動作される前に、それらが無効化されてしまうことも少なくなかった。更に、セキュリティーシステムの管理は、一般に、セキュリティー管理者によって行われることとされており、例えば、ユーザ自身がセキュリティーシステムの設定を必要に応じて変更するものとはなっていなかった。このため、例えば、賃貸マンション等において、その賃貸マンションの居住者が、先住者や施工業者等からの犯罪を防ぐ方法としては、鍵そのものを取り替える等といった面倒な方法に頼らざるを得なかった。
【０００３】
【特許文献１】特表２００２−５１８７５９  従来のセキュリティーシステムの一例が示されている。
【発明の開示】
【発明が解決しようとする課題】
【０００４】
本発明は、このような従来技術における問題点を解決するためになされたものであり、警戒対象のユーザ自身が、セキュリティーシステムの設定を自由に変更できるようにして、安全性が高く、使い勝手のよいセキュリティーシステムを提供することを目的とする。また、本発明は、侵入者等にとって容易にはセキュリティーシステムの存在がさとられにくいセキュリティーシステムを提供することを目的とする。
【課題を解決するための手段】
【０００５】
上記課題を解決するため、本発明によって、以下に示すセキュリティーシステムが提供される。
本発明のセキュリテーシステムは、警戒対象と警戒対象を管理する管理システムとを備えたセキュリティーシステムにおいて、前記警戒対象は、起動信号を発生する複数の起動用スイッチと、これら複数の起動用スイッチとの間で予め定められた関係に従って、前記複数の起動用スイッチから発生された起動信号を受け取ったときに所定のシーケンス信号を構成し得る信号部分を発生する複数の部分信号発生部と、を有し；前記管理システムは、前記警戒対象の複数の部分信号発生部から発生された信号部分を所定のシーケンス情報と比較し、それらが一致しない場合に警報を発するものであり；前記複数の起動用スイッチと前記複数の部分信号発生部との間の関係は、前記警戒対象において、前記警戒対象のユーザによって自由に変更され得ることを特徴としている。
【０００６】
上記システムにおいて、前記複数の部分信号発生部はそれぞれ、前記所定のシーケンス信号を構成し得る信号部分のいずれかを、前記複数の起動用スイッチから発生された各起動信号を受け取ったときに順次に発生させ、前記管理システムは、前記順次に発生された前記所定のシーケンス信号を構成し得る信号部分を、前記管理システムに予め記憶されたシーケンス情報と順次に比較し、それらが一致しないと判断した時点で警報を発するものであってもよいし、一度に比較し、それらが一致しない場合に警報を発するものであってもよい。
【０００７】
上記セキュリテーシステムにおいて、前記管理システムに予め記憶された前記シーケンス情報は、前記警戒対象のユーザに予め通知することなしには変更されない。
【０００８】
上記セキュリティーシステムにおいて、前記警戒対象の複数の部分信号発生部から順次に発生された部分信号と前記管理システムに予め記憶されたシーケンス情報が完全に一致しない場合に警告を発するものであってもよいし、一部について一致しない場合に警告を発するものであってもよい。
【０００９】
上記セキュリテーシステムにおいて、前記複数のスイッチは一箇所にまとめて設けられていてもよいし、互いに別々の場所に離して設けられていてもよい。一箇所にまとめて設けた場合には、使い勝手をよくすることができる利点があり、互いに離して設けた場合には、侵入者等の目を容易にあざむくことができる利点がある。
【００１０】
上記セキュリティーシステムにおいて、前記管理システムに予め記憶されているシーケンス信号と前記警戒対象によって発生された前記シーケンス信号とが所定時間内に一致しなかったときに、或いは、前記複数のスイッチの所定回数の操作によっても一致しなかったときに、警報を発するものであってもよい。
【発明の効果】
【００１１】
本発明によれば、安価で、使い易い、簡易構造のセキュリティーシステムを提供することができる。
【発明を実施するための最良の形態】
【００１２】
添付図面を参照して、本発明によるセキュリティーシステムの好適な一実施形態を説明する。図１は、本実施形態によるセキュリティーシステムの概念図である。このセキュリティーシステムは、警戒の対象である１つ又は複数の警戒対象１と、この又はこれらの警戒対象１と接続された、これら警戒対象を管理する管理システム３から成る。警戒対象１は、例えば、居住空間や、パソコン、自動車、船舶、飛行機等であってもよく、管理システム３は、例えば、警備会社や隣人等であってもよい。
【００１３】
本セキュリティーシステムを使用するにあたり、警戒対象１に必要とされる設備は、シーケンス信号発生装置２０だけである。シーケンス信号発生装置２０は、各警戒対象１の所定部分の所定操作に応じて所定のシーケンス信号を発生させる。図２に、このシーケンス信号発生装置２０の構成を簡単なブロック図で示す。
【００１４】
シーケンス信号発生装置２０は、主として、複数の起動用スイッチＳＷ１〜ＳＷｎと、複数の部分信号発生部ＧＷ１〜ＧＷｎ、メモリ２１、及びこれらを制御する制御ユニット２３を備える。
【００１５】
起動用スイッチＳＷ１〜ＳＷｎは、各警戒対象１の所定部分に設けられて、それら所定部分における所定操作に応じて何らかの起動信号を発生させるものであれば足りる。尚、本明細書でいう「信号」とは、基本的に、電気信号に限らず、電気信号以外の例えば、圧力、熱等、何らかの情報を伝達できるものを幅広く含む語である。これら起動用スイッチとして何を用いるか、所定部分や所定操作、或いは起動信号として何を用いるかは、セキュリティーシステムの設計者、或いは、警戒対象１のユーザ自身が自由に決定することができる。例えば、警戒対象を居住空間とした場合、起動用スイッチＳＷ１〜ＳＷｎとして、照明スイッチや、テレビスイッチ、水道の蛇口からの水（更に言えば、蛇口から出てくる水の流れを検知するフローリレー等）を用いることができるし、警戒対象をパソコンとした場合、起動用スイッチＳＷ１〜ＳＷｎとして、パソコンの各キー等を用いることができ、更に、警戒対象を自動車とした場合、起動用スイッチＳＷ１〜ＳＷｎとして、自動車のルームライトやクラクション、アクセル、ブレーキ等を用いることができる。また、警戒対象を居住空間とした場合の所定部分としては、例えば、照明スイッチの操作パネルや、照明スイッチから延びるスイッチ操作用のひも等を用いることができ、この場合の所定操作としては、例えば、操作パネルの操作やひもを引っ張る等が考えられ、更に、この場合の起動信号としては、電流の発生や発生電流における変化等を用いることができる。
【００１６】
起動用スイッチＳＷ１〜ＳＷｎは各々、起動用スイッチとしてのみ機能するものであってもよいが、例えば、照明スイッチ等といったように、起動用スイッチＳＷ１〜ＳＷｎ以外の働きを有するものであってもよい。他の働きを有するものとすることにより、犯罪者等にセキュリティーシステムの存在をさとられにくくすることができるといった利点がある。また、起動用スイッチＳＷ１〜ＳＷｎは、例えば、１つのパネルスイッチとして一箇所にまとめて設けられていてもよいし、全く別のスイッチとして互いに別々の場所に設けられてもよい。前者の場合は、使い勝手がよくなる利点があり、後者の場合は、侵入者等の目をあざむくことができるといった利点がある。また、前者の場合であっても、例えば、それらを通常の照明用スイッチパネルと併用し、或いは、それと同じ外観等とすることによって、侵入者等の目をあざむくようにすることもできる。
【００１７】
部分信号発生部ＧＷ１〜ＧＷｎは、それぞれ、起動用スイッチＳＷ１〜ＳＷｎとの間で予め定められた関係に従って起動用スイッチＳＷ１〜ＳＷｎのそれぞれから発生された各起動信号を受け取ったときに、所定のシーケンス信号を構成し得る信号部分のいずれかを順次に発生させる。部分信号発生部ＧＷ１〜ＧＷｎから順次に発生されたこれらの部分信号は、例えば、これらの発生順に管理システム３へ伝達される。従って、管理システム３からみたとき、これらの部分信号の集合は、所定のシーケンス信号を構成し得るもの、ということができる。尚、部分信号は、互いに区別できる信号であればどのような信号であってもよく、例えば、数字であってもよいし、アルファベット等であってもよい。
【００１８】
メモリ２１は、起動用スイッチＳＷ１〜ＳＷｎと部分信号発生部ＧＷ１〜ＧＷｎとの間の関係（対応関係）を記憶する。例えば、図３に示すように、起動用スイッチＳＷ１には、「１」という所定の部分信号を発生させる部分信号発生部ＧＷ１が、起動用スイッチＳＷ２には、「２」という所定の部分信号を発生させる部分信号発生部ＧＷ２が、起動用スイッチ３には、「３」という所定の部分信号を発生させる部分信号発生部ＧＷ３が、それぞれ対応づけられていることを記憶することもできる。
【００１９】
このような設定の下で、例えば、起動用スイッチＳＷ１、ＳＷ２、ＳＷ３の順に操作が行われたとすると、起動用スイッチＳＷ１、ＳＷ２、ＳＷ３のそれぞれからそれらの起動信号が順次に発生され、これらの起動信号を受け取ることにより、各部分信号発生部ＧＷ１〜ＧＷ３から、「１」、「２」、「３」という部分信号が順次に発生され、最終的に、管理システム３へは、「１」、「２」、「３」という部分信号（シーケンス信号）が順次に伝達されることになる。同様の設定下で、例えば、起動用スイッチＳＷ２、ＳＷ３、ＳＷ１の順に操作が行われると、管理システム３へは、「２」、「３」、「１」という部分信号（シーケンス信号）が順次に伝達されることになる。
【００２０】
本システムでは、メモリ２１の記憶内容、即ち、起動用スイッチＳＷ１〜ＳＷｎと部分信号発生部ＧＷ１〜ＧＷｎとの間の関係を、ユーザが自由に設定或いは変更することができる。本システムは、この点で、セキュリー管理されている部屋の入り口等に設けられているような通常のセキュリティー装置とは全く異なる。ユーザは、本システムの使用を開始するにあたり、メモリ２１の内容を自由に設定することができ、また、その後も必要に応じて、その内容を自由に変更することができる。これらの設定・変更内容は、設定や変更を行ったユーザのみが知るところであり、管理者やその他の者へ情報が伝達されることはない。また、これらの設定や変更内容に応答して、管理システム３の内容が変更されることはない。
【００２１】
図４を参照して、設定変更による効果を説明する。例えば、図３に示す設定が、図４に示す設定に変更されたと仮定する。この場合、変更前は、スイッチＳＷ１に対しては「１」、ＳＷ２に対しては「２」、ＳＷ３に対しては「３」という部分信号が、それぞれ対応付けられていたが、変更後は、スイッチＳＷ１に対しては「１」、ＳＷ２に対しては「３」、ＳＷ３に対しては「２」という部分信号が、それぞれ対応づけられることになる。この結果、例えば、上と同様に、ＳＷ１、ＳＷ２、ＳＷ３の順にスイッチを操作した場合、変更前は「１」、「２」、「３」という部分信号が順次に発生されていたものが、変更後は、同様の操作によって、「１」、「３」、「２」という部分信号が順次に発生されることになる。明らかなように、このような設定変更を行うことによって、同じ操作をしても、部分信号は異なる順番で発生されることになる、言い換えれば、異なるシーケンス信号が発生されることになる。したがって、設定変更を行ったユーザのみが、所定のシーケンス信号を発生させるための操作方法を知ることになる。本発明はこの原理を利用して、ユーザ自身によってセキュリティー管理ができるようにしたものである。
【００２２】
管理システム３は、警戒対象１から発生されたこのシーケンス信号が、管理システム３に予め記憶されたシーケンス情報と同内容であるかどうかをチェックし、一致しない場合に警報を発することを主な働きとするものである。これらの動作を行うため、管理システム３は制御装置３０を有する。図５に、この制御装置３０の構成を簡単なブロック図で示す。
【００２３】
制御装置３０は、主として、制御ユニット３１と、この制御ユニット３１に接続された、所定のシーケンス情報を記憶するメモリ３３、制御ユニット３１の動作プログラムを記憶するメモリ３５、タイマー３７、制御装置３０をリセットするリセット装置３９、警戒対象１等と通信を行うためのＩ／Ｏデバイス４１、及び発報装置４３を備える。尚、制御装置３０の動力源は、一般の家庭用電源であってもよいが、例えば、無停電電源装置５０であってもよい。無停電電源装置５０を用いることにより、例えば、外部からの侵入者が侵入前に警戒対象１を停電させること等による警備の無効化を防止することができ、また、停電による誤動作を防止することができる。
【００２４】
制御ユニット３１は、Ｉ／Ｏデバイス４１を介して、シーケンス信号発生装置２０から伝達される部分信号（シーケンス信号）を順次に受信し、例えば、それらの部分信号をメモリ３３に予め記憶されたシーケンス情報と順次に比較する。このメモリ３３に記憶されたシーケンス情報の内容は、シーケンス信号発生装置２０のメモリ２１と異なり、管理システム３を管理する者によって設定されるものであり、原則として、一旦設定された後は変更されることはない。
【００２５】
シーケンス信号とシーケンス情報の比較の結果、それらの内容が全て完全に一致した場合、制御ユニット３１は、それらの部分信号は正当なユーザが発生した信号と解釈し、何らの警報も発しない。一方、それらが一部においても一致しない場合は、一致しないと判断した時点で、言い換えれば、一致しない部分信号を受信した時点で、不法侵入者等が発した信号であると解釈し、発報装置４３に信号を送る。
【００２６】
この信号に応答して、発報装置４３は外部に連絡を取る。この外部連絡は、侵入者等による断線等による通報システムの無効化を困難にするため無線であるのが好ましい。連絡先は、例えば、ユーザの携帯電話や、警備会社、或いは、各警戒対象１の隣人等を含む複数個所であってもよく、これらの連絡先に、同時に配信するものであってもよい。これにより、不法侵入等を迅速且つ容易に発見することができ、また、侵入者等から最も近い場所に存在するであろう隣人によってもセキュリティー管理をなすことが可能となる。
【００２７】
尚、以上の構成において、タイマー３７は、例えば、ある部分信号を受け取った後、次の部分信号を受け取るまでの時間を計時し、この時間が長時間に及んだときに発報装置４３に信号を送る等といった方法で使用することができる。
【００２８】
上の記載から明らかなように、本システムは、基本的には、不法侵入者等によって誤ったシーケンス信号を発生させることを想定したものである。しかしながら、侵入者等の存在を外部に知らせるために、ユーザ自身が誤ったシーケンス信号を発生させるように用いてもよい。つまり、本システムは、通常の警報ベルとしても用いることができる。例えば、単身女性等は、本システムを用いて、不法侵入者等にさとられることなく隣人に容易に助けを求めることもできる。
【００２９】
上の実施態様には、様々な変形が可能である。例えば、上の実施態様では、警戒対象１から順次に発生された部分信号と管理システム３のメモリ３３に記憶されたシーケンス信号が完全に一致した場合にのみ、言い換えれば、順次に発生された部分信号の全てについてチェックを行って、正当なユーザが発した信号とし解釈するものとしていたが、これに限らず、順次に発生された部分信号の一部についてのみチェックを行って、正当なユーザが発した信号と解釈するものとしてもよい。例えば、最初の幾つかの部分信号についてはどのような部分信号であってもよいものとし、所定番目の部分信号についてのみ、正当なユーザであるか否かの判断に用いるようにすることもできる。このような方法によれば、例えば、誤った操作を所定回数だけ許容するようなシステムを提供することができる。また、警戒対象１から順次に発生された部分信号を、管理システム３のメモリ３３に記憶されたシーケンス情報と順次には比較せず、警戒対象１から順次に発生された部分信号が集まったとき（シーケンス信号が構成されたとき）に初めて、メモリ３３に記憶されたシーケンス情報と一度に（一時に）比較するものとしてもよい。
【００３０】
また、上の実施態様では、メモリ３３の内容は一旦設定された後は原則として変更されることはないとしたが、この原則に反して、メモリ３３の設定内容を変更できるものとしてもよい。例えば、セキュリティーがより完全になされるように、週毎に設定を変更することにしてもよい。ただし、設定内容を変更する場合、管理者は、その変更内容を不法侵入者等に知られない方法で予めユーザに通知しておく必要がある。明らかなように、この場合には、ユーザは、メモリ３３の設定内容の変更に応答して、自身が管理するメモリ２１（図２参照）の内容、即ち、起動用スイッチＳＷ１〜ＳＷｎと部分信号発生部ＧＷ１〜ＧＷｎとの間の関係を変更するか、若しくは、起動用スイッチＳＷ１〜ＳＷｎの操作方法を変更する必要が生じることになるだろう。
【実施例１】
【００３１】
本発明によるセキュリティーシステムを、例えば、居住空間へ適用した一例を以下に説明する。
【００３２】
１．居室
図６に、警戒対象である居室（１つのみ示す）の構成を簡易ブロック図で示す。この居室１’は、本セキュリティーシステムを作動させるため、或いは、その他の目的で様々な仕掛けを有する。
【００３３】
警戒対象である各居室１’には、それぞれ、複数の起動用スイッチＳＷ１〜ＳＷｎが設けてある。起動用スイッチＳＷ１〜ＳＷｎとして、例えば、照明スイッチや、テレビスイッチ、或いは冷暖房スイッチ等を用い、また、起動信号として、それらを操作したときに発生する電気信号や電流変化を用いてもよい。起動用スイッチＳＷ１〜ＳＷｎスイッチは、スイッチ本来の役割を果たすとともに、起動用スイッチＳＷ１〜ＳＷｎとしても機能する。これらの起動用スイッチＳＷ１〜ＳＷｎは、１つのパネルスイッチ６１として一箇所にまとめて設けられていてもよいが、全く別個のスイッチとして互いに別々の場所に離して設けられていてもよい。
【００３４】
例えば、照明スイッチＳＷ１に「１」、テレビスイッチＳＷ２に「２」、更に、冷暖房スイッチＳＷ３に「３」という部分信号を発生させる部分信号発生部ＧＷ１〜ＧＷ３が、それぞれ対応づけられているものとする。この場合に、照明スイッチＳＷ１、テレビスイッチＳＷ２、冷暖房スイッチＳＷ３の順に操作が行われると、これらの操作順序に応じて、各部分信号発生部ＧＷ１〜ＧＷｎから「１」、「２」、「３」という部分信号が順次に発生される。管理システム３は、この順次に発生された部分信号を、メモリ３３に予め記憶されたシーケンス情報、例えば「１−２−３」と比較し、部分信号が正しい順序で発生されたかどうかを確認する。例えば、侵入者等によって、テレビスイッチＳＷ２、冷暖房スイッチＳＷ３、照明スイッチＳＷ１の順に操作が行われたとすると、これらの操作順序に応じて、各部分信号発生部ＧＷ１〜ＧＷｎからは「２」、「３」、「１」という部分信号が順次に発生されることになり、この結果、管理システム３は、部分信号「２」を受信した時点で、自身に記憶されたシーケンス情報である「１−２−３」のうちの最初の「１」と異なることを発見し、発報を行うことになる。
【００３５】
侵入者等をあざむくため、警戒対象である各居室１’（管理システム３ではない）の居住者（ユーザ）は、これら起動用スイッチＳＷ１〜ＳＷｎと部分信号発生部ＧＷ１〜ＧＷｎの間の関係を自由に変更することができる。どのように変更したかは、変更した本人のみが知るところとなる。つまり、居住者のみが、起動用スイッチの操作順序を知ることができ、侵入者等がこれを知ることはできない。例えば、新たな居住者は、その入居時に、それらの間の関係を自由に変更することができ、その後も、必要に応じて自由に変更することができる。故に、本システムによれば、例えば、先住者による犯罪や施工業者等による犯罪をも自由に且つ有効に防止することができる。尚、各居住者が設定を容易に変更することができるよう、起動用スイッチＳＷ１〜ＳＷｎと部分信号発生部ＧＷ１〜ＧＷｎの間の関係を変更するための装置、つまり、シーケンス信号発生装置２０は、例えば、各居室１’の内部等に設けておくのが好ましい。
【００３６】
本システムの実効性を高めるため、上述した基本的な構成に加えて、更に、警報機能付ドアスイッチ６７、警報機能付照明器具６９、警報ブザー７１、７３等を設けてもよい。これらは全て、接続手段６３と同様の手段によって管理システム３に接続されている。
【００３７】
警報機能付ドアスイッチ６７は、例えば、外出時によく使用するドア６６や侵入者等に狙われやすい裏口のドアが開いたことを感知して、管理システム３へ警報信号を送る。尚、この警報機能付ドアスイッチ６７は、必ずしもドアの上部に設ける必要はなく、例えば、ドアノブ６７’に連動させて設けてもよい。警報機能付照明器具６９は、例えば、侵入者等が使用する可能性の高い照明や侵入者等の侵入時に自動点灯し得る照明の点灯を感知して、管理システム３へ警報信号を送る。また、警報ブザーとして、例えば、警告用警報ブザー７１と警報機能付警報ブザー７３の二種類を設けてもよい。前者の警告用警報ブザー７１は、起動用スイッチＳＷ１〜ＳＷｎの誤操作を居住者に知らせるだけで、管理システム３へ警報信号を送るものではないのに対し、後者の警報機能付警報ブザー７３は、不法侵入を警報音によって外部に知らせるとともに、管理システム３へ警報信号を送る。
【００３８】
２．管理システム
制御ユニット３１は、Ｉ／Ｏデバイス４１を介して、シーケンス信号発生装置２０からのシーケンス信号や警報機能付ドアスイッチ６７等からの警報信号を受信し、それらを総合的に管理する。特に、制御ユニット３１は、シーケンス信号発生装置２０から発生された部分信号を順次に受信して、そのシーケンス信号を自身のメモリ３３に予め記憶されているシーケンス情報と比較する。それらが一致した場合、制御ユニット３１は、正当な居住者が発した信号とし解釈し、警戒は終了する。一方、それらが一致しなかった場合、制御ユニット３１は、不法侵入者等が発したシーケンス信号であると解釈し、発報装置４３に信号を送る。尚、メモリ３３に予め記憶されているシーケンス情報は、原則として、一旦設定した後は変更されないものとする。侵入者等がその設定を変更してしまうことを防ぐため、シーケンス信号発生装置２０の扉に警報機能付ドアスイッチ６７と同様の扉スイッチ７５を設けてもよい（図６参照）。
【００３９】
３．動作例
図７を参照して、このセキュリティーシステムの好適な一動作例を説明する。図７は、上に説明した管理システム３による処理の流れを示すフロー図である。これらの処理内容は、例えば、制御装置３０のメモリ３５内（図５参照）に記憶されている。尚、この図はあくまで一つの動作例を示すだけのものであるから、本システムがこの動作例に限定されるものではない。
【００４０】
本システムでは、通常の外出動作、例えば、照明をオフ状態とし（ステップ１）、ドアをロックすること、つまりドアスイッチをオン状態とすること（ステップ２）によって警戒を自動的に開始させることもできる（ステップ３）。この方法によれば、不法侵入を企てている者が、居住者の行動を監視していた場合であっても、侵入者等に警戒を発動させたことを気付かれるおそれはない。同様に、例えば、通常の就寝動作、即ち、ドアをロックし、照明をオフ状態とすることによって、警戒を自動的に開始させるものとしてもよい。この方法によれば、セキュリティーシステムのスイッチの入れ忘れを容易に防止することができる。
【００４１】
警戒が開始されると、各種の警報機能（図示されていない）が起動させられるとともに、警報機能付照明器具６９が点灯されていないか否かの確認が開始される（ステップ４）。例えば、不法侵入者等が窓から侵入し、ドアが開かれなかった場合でも、侵入者等が侵入したことによって警報機能付照明器具６９が点灯した場合、制御ユニット３１は、警報機能付警報ブザー７３（ＢＺ）を鳴らすとともに、発報装置４３へ信号を送り、不法侵入を居住者等に即座に知らせることができる（ステップ５）。尚、不法侵入者等の排除が完了した後は、システムはリセット装置３９によってリセットされ（ステップ６）、警戒は終了する（ステップ７）。
【００４２】
ステップ４において、警報機能付照明器具６９が点灯されずに、ドアが開かれると、つまり、正常な状態で入室が行われると、警報機能付ドアスイッチは自動的にオフ状態とされ（ステップ８）、且つ、警報機能付照明器具６９のスイッチもオフ状態とされる（ステップ９）。その後、変数「ｎ」に初期値０が設定されるとともに（ステップ１０）、タイマー３７による時間の計数が開始される（ステップ１１）。以下の記載から明らかなように、この変数「ｎ」は起動用スイッチＳＷ１〜ＳＷｎの誤操作の回数をカウントするために必要とされる。
【００４３】
ステップ１１では、所定時間内に、起動用スイッチＳＷ１〜ＳＷｎが正しく操作されたかどうか、つまり、各居室１’から受信したシーケンス信号が制御ユニット３１のメモリ３３に予め記憶されているシーケンス情報と一致したかどうかをチェックする（ステップ１２）。一致を確認する前に所定時間が経過した場合、例えば、不法侵入者等が所定時間内に所定の操作を行わなかった場合、制御ユニット３１は、警報機能付警報ブザー７３（ＢＺ）を鳴らすとともに、発報装置４３へ信号を送る（ステップ５）。その後の処理は、上に説明した通りである（ステップ６、７）。
【００４４】
ステップ１２において、所定時間内に（ステップ１１）、一致が確認された場合、警戒は終了する（ステップ７）。尚、警戒開始と同様に、警戒開始から警戒終了までの動作を通常の帰宅動作と一致させておけば、セキュリティーシステムを居住者の自然な作業で解除することができる。これにより、不法侵入者等に警報システムの存在を気付かれる心配を減らすことができる。
【００４５】
一方、ステップ１２において、所定時間内に（ステップ１１）、一致が確認されなかった場合、つまり、起動用スイッチＳＷ１〜ＳＷｎが正しく操作されなかった場合、警告用警報ブザー（ＢＺ）７１を鳴らすとともに（ステップ１３）、シーケンス信号発生装置２０の扉が開かれたか否か、つまり、扉スイッチ７５がオン状態のままであるか否かをチェックする（ステップ１４）。扉スイッチがオフ状態とされている場合には、発報装置４３へ信号を送る（ステップ５）。一方、扉スイッチがオン状態のままの場合、変数ｎに１を加えて、ｎ≦２であるか否かを確認する（ステップ１５）。ｎ≦２の場合、つまり、所定時間内に誤った操作が行われた回数が２回以下の場合、再びステップ１１に戻って所定の動作を繰り返す。一方、ｎ＞３の場合、つまり、所定時間内に３回以上誤った操作が行われた場合、発報装置４３へ信号を送る（ステップ５）。
【００４６】
明らかなように、本システムには様々な変形をほどこすことが可能である。例えば、警報機能付照明器具１９を起動用スイッチＳＷ１〜ＳＷｎと併用することもできる。この場合、図４のステップ４は省略することができる。本発明はこのような様々な変形例を全て包含するものである。
【実施例２】
【００４７】
ハッカー等からの保護を図るため、本システムをパソコンに適用することもできる。例えば、パソコンの「ａ」キーに起動スイッチＳＷ１を、「ｂ」キーに起動スイッチＳＷ２を、「ｃ」キーに起動スイッチＳＷ３を、それぞれ設定しておけば、ａ、ｂ、ｃの順にキーが操作されなかった場合には、警報が直ちに発報されることになる。故に、本システムによれば、例えば、ハッカー等がパソコンのパスワードを探るためにパソコンを操作した時点で、直ちに警報が始動されることとなるから、セキュリティーをより高めることができる。
【実施例３】
【００４８】
窃盗団等からの保護を図るため、本システムを自動車等に適用することもできる。例えば、自動車の前方左ドアに起動スイッチＳＷ１を、後方右ドアに起動スイッチＳＷ２を、ルームライトに起動スイッチＳＷ３を設定しておくことにより、前方左ドアを開け、後方右ドアを開け、更に、ルームライトをつけた場合にのみ、車の正当な所有者であると判断し、これらの以外の動作を行った者は、車の所有者ではないと判断して、警報が発報されるようにしてもよい。これにより、車の盗難を簡単且つ効果的に防ぐことができる。同様の方法により、飛行機や船等にも本システムを適用することもできる。
【００４９】
このように、本システムの起動スイッチを、犯罪者等に分かりにくい場所に設けることにより、安価に、且つ、簡易構造で、様々な警戒対象のセキュリティーを容易に高めることができる。
【産業上の利用可能性】
【００５０】
本システムは、セキュリティーシステムを必要とする様々な対象物に適用することができる。
【図面の簡単な説明】
【００５１】
【図１】本発明によるセキュリティーシステムの概念図を示す図である。
【図２】シーケンス信号発生装置の構成を示すブロック図である。
【図３】起動用スイッチと部分信号発生部との間の関係の一例を示す図である。
【図４】関係を変更した後の状態を示す図である。
【図５】制御装置の構成を示すブロック図である。
【図６】本システムの居室への適用例を示すブロック図である。
【図７】図６のシステムの一動作例を示すフロー図である。
【符号の説明】
【００５２】
１    警戒対象
３    管理システム
２０  シーケンス信号発生装置
ＳＷ  起動用スイッチ
ＧＷ  部分信号発生部
２１  メモリ
２３  制御ユニット
３０  制御装置
３１  制御ユニット
３３  メモリ
４３  発報装置
【図１】
2005339380.tif 000003
【図２】
2005339380.tif 000004
【図３】
2005339380.tif 000005
【図４】
2005339380.tif 000006
【図５】
2005339380.tif 000007
【図６】
2005339380.tif 000008
【図７】
2005339380.tif 000009